(57)【要約】【課題】ユーザの表示装置の表示画面への接近を適正に検出する「表示装置」を提供する。【解決手段】液晶表示モジュール１の上の辺に沿って反射光用導光体４を設け、下の辺に沿って出射光用導光体５を設ける。出射光用導光体５は、赤外ＬＥＤ７から入射した赤外光を導光し、線／棒状の二次光源として液晶表示モジュール１の表示面の前方の空間を赤外光で照明する。出射光用導光体５は、線／棒状の受光部として機能し、液晶表示モジュール１の表示面の前方の空間から入射した赤外光の反射光を赤外フォトダイオード６まで導光する。【選択図】図１
2018180850.tif 000002
【特許請求の範囲】
【請求項１】
映像を表示する液晶表示モジュールを備えた表示装置であって、
前記液晶表示モジュールの外周の外側に配置した、当該外周に沿って伸びる出射光用導光体と、
前記出射光用導光体に赤外光を出射する赤外ＬＥＤと、
赤外フォトデテクタとを備え、
前記出射光用導光体は、前記赤外ＬＥＤから入射した赤外光を導光し、前記外周に沿って伸びる二次光源として、前記液晶表示モジュールの表示面の前方の空間を赤外光で照明し、
前記赤外フォトデテクタは、前記液晶表示モジュールの表示面の前方の空間で反射した赤外光の反射光を検出することを特徴とする表示装置。
【請求項２】
映像を表示する液晶表示モジュールを備えた表示装置であって、
前記液晶表示モジュールの表示面の前方の空間を赤外光で照明する赤外光照明部と、
前記液晶表示モジュールの外周の外側に配置した、当該外周に沿って伸びる反射光用導光体と、
赤外フォトダイオードとを備え、
前記反射光用導光体は、前記外周に沿って伸びる受光面を備え、当該受光面で前記液晶表示モジュールの表示面の前方の空間で反射した赤外光の反射光を受光し、受光した反射光を前記赤外フォトダイオードまで導光し、
前記赤外フォトダイオードは、反射光用導光体によって導光された赤外光の反射光を検出することを特徴とする表示装置。
【請求項３】
映像を表示する液晶表示モジュールを備えた表示装置であって、
前記液晶表示モジュールの外周の外側に配置した、当該外周に沿って伸びる出射光用導光体と、
前記液晶表示モジュールの外周の外側に配置した、当該外周に沿って伸びる反射光用導光体と、
前記出射光用導光体に赤外光を出射する赤外ＬＥＤと、
赤外フォトダイオードとを備え、
前記出射光用導光体は、前記赤外ＬＥＤから入射した赤外光を導光し、前記外周に沿って伸びる二次光源として、前記液晶表示モジュールの表示面の前方の空間を赤外光で照明し、
前記反射光用導光体は、前記外周に沿って伸びる受光面を有し、当該受光面で前記液晶表示モジュールの表示面の前方の空間で反射した赤外光の反射光を受光し、受光した反射光を前記赤外フォトダイオードまで導光し、
前記赤外フォトダイオードは、反射光用導光体によって導光された赤外光の反射光を検出することを特徴とする表示装置。
【請求項４】
映像を表示する液晶表示モジュールを備えた表示装置であって、
前記液晶表示モジュールの外周の外側に配置した、当該外周に沿って伸びる反射光用導光体と、
赤外フォトダイオードとを備え、
前記液晶表示モジュールは、
画像パターンを形成する液晶パネルと、
赤外光光源と、
前記液晶パネルの背面に配置された、前記赤外光光源から入射する赤外光を、前記液晶パネルを介して前記液晶表示モジュールの表示面の前方の空間に放射する赤外光導光板とを有し、
前記反射光用導光体は、前記外周に沿って伸びる受光面を備え、当該受光面で前記液晶表示モジュールの表示面の前方の空間で反射した赤外光の反射光を受光し、受光した反射光を前記赤外フォトダイオードまで導光し、
前記赤外フォトダイオードは、反射光用導光体によって導光された赤外光の反射光を検出することを特徴とする表示装置。
【請求項５】
請求項１または３記載の表示装置であって、
前記液晶表示モジュールは四角形の外周を有しており、前記出射光用導光体は、前記液晶表示モジュールの四角形の外周の１辺または連続する複数の辺に沿って伸びていることを特徴とする表示装置。
【請求項６】
請求項１または３記載の表示装置であって、
前記出射光用導光体は、前記液晶表示モジュールの外周を取り囲むように、当該外周に沿って伸びていることを特徴とする表示装置。
【請求項７】
請求項２、３または４記載の表示装置であって、
前記液晶表示モジュールは四角形の外周を有しており、前記反射光用導光体は、前記液晶表示モジュールの四角形の外周の１辺または連続する複数の辺に沿って伸びていることを特徴とする表示装置。
【請求項８】
請求項２、３または４記載の表示装置であって、
前記反射光用導光体は、前記液晶表示モジュールの外周を取り囲むように、当該外周に沿って伸びていることを特徴とする表示装置。
【請求項９】
請求項３記載の表示装置であって、
前記液晶表示モジュールは四角形の外周を有しており、前記出射光用導光体は、前記液晶表示モジュールの四角形の外周の１辺である第１の辺に沿って伸びており、
前記反射光用導光体は、前記液晶表示モジュールの四角形の外周の前記第１の辺に対向する辺である第２の辺に沿って伸びていることを特徴とする表示装置。
【請求項１０】
映像を表示する液晶表示モジュールを備えた表示装置であって、
前記液晶表示モジュールの表示面の前方の空間を赤外光で照明する赤外光照明部と、
前記液晶表示モジュールの四角形の外周の左側の辺の外側に配置した、当該左側の辺に沿って伸びる左側反射光用導光体と、
前記液晶表示モジュールの四角形の外周の右側の辺の外側に配置した、当該右側の辺に沿って伸びる左側反射光用導光体と、
第１の赤外フォトダイオードと、
第２の赤外フォトダイオードとを備え、
前記左側反射光用導光体は、前記左側の辺に沿って伸びる受光面を備え、当該受光面で前記液晶表示モジュールの表示面の前方の空間で反射した赤外光の反射光を受光し、受光した反射光を前記第１の赤外フォトダイオードまで導光し、
前記右側反射光用導光体は、前記右側の辺に沿って伸びる受光面を備え、当該受光面で前記液晶表示モジュールの表示面の前方の空間で反射した赤外光の反射光を受光し、受光した反射光を前記第２の赤外フォトダイオードまで導光し、
前記第１の赤外フォトダイオードは、左側反射光用導光体によって導光された赤外光の反射光を検出し、
前記第２の赤外フォトダイオードは、右側反射光用導光体によって導光された赤外光の反射光を検出することを特徴とする表示装置。
【発明の詳細な説明】
【技術分野】
【０００１】
本発明は、赤外線近接センサを備えた表示装置に関するものである。
【背景技術】
【０００２】
赤外線近接センサを備えた表示装置としては、表示装置の表示画面の四隅に近い位置に配置した赤外線近接センサで表示装置の表示画面へのユーザ接近を検出する表示装置（たとえば、特許文献１）や、表示装置の表示画面のすぐ下の位置に配置した赤外線近接センサで表示装置の表示画面へのユーザ接近を検出する表示装置（たとえば、特許文献２）が知られている。
【先行技術文献】
【特許文献】
【０００３】
【特許文献１】特開２０１１-１９８２１０号公報
【特許文献２】特開２０１０-１９１２８８号公報
【発明の概要】
【発明が解決しようとする課題】
【０００４】
赤外線近接センサは、赤外線ＬＥＤから赤外光を出射し、フォトダイオードで赤外光の反射光を検出するものが一般的である。
そして、このような一般的な赤外線近接センサにおいては、赤外線ＬＥＤが点光源として赤外光を出射し、フォトダイオードがその配置位置において一点で赤外光を検出するものであるため、赤外光を照射できる範囲や反射光を検出できる範囲が限定的となる。そして、このために、ユーザの表示装置の表示画面への接近を検出できない範囲が生じてしまい易い。
【０００５】
このような問題は、赤外線近接センサの数を増やすことにより解消することができるが、この場合には赤外線ＬＥＤやフォトダイオードの所要数が増加してしまうこととなる。
そこで、本発明は、赤外線近接センサを備えた表示装置において、赤外線ＬＥＤやフォトダイオードの所要数を抑えつつユーザの表示装置の表示画面への接近を適正に検出することを課題とする
【課題を解決するための手段】
【０００６】
前記課題達成のために、本発明は、映像を表示する液晶表示モジュールを備えた表示装置に、前記液晶表示モジュールの外周の外側に配置した、当該外周に沿って伸びる出射光用導光体と、前記出射光用導光体に赤外光を出射する赤外ＬＥＤと、赤外フォトデテクタとを備えたものである。ここで、前記出射光用導光体は、前記赤外ＬＥＤから入射した赤外光を導光し、前記外周に沿って伸びる二次光源として、前記液晶表示モジュールの表示面の前方の空間を赤外光で照明し、前記赤外フォトデテクタは、前記液晶表示モジュールの表示面の前方の空間で反射した赤外光の反射光を検出する。
【０００７】
また、前記課題達成のために、本発明は、映像を表示する液晶表示モジュールを備えた表示装置に、前記液晶表示モジュールの表示面の前方の空間を赤外光で照明する赤外光照明部と、前記液晶表示モジュールの外周の外側に配置した、当該外周に沿って伸びる反射光用導光体と、赤外フォトダイオードとを備えたものである。ここで、前記反射光用導光体は、前記外周に沿って伸びる受光面を備え、当該受光面で前記液晶表示モジュールの表示面の前方の空間で反射した赤外光の反射光を受光し、受光した反射光を前記赤外フォトダイオードまで導光し、前記赤外フォトダイオードは、反射光用導光体によって導光された赤外光の反射光を検出する。
【０００８】
また、前記課題達成のために、本発明は、映像を表示する液晶表示モジュールを備えた表示装置に、前記液晶表示モジュールの外周の外側に配置した、当該外周に沿って伸びる出射光用導光体と、前記液晶表示モジュールの外周の外側に配置した、当該外周に沿って伸びる反射光用導光体と、前記出射光用導光体に赤外光を出射する赤外ＬＥＤと、赤外フォトダイオードとを備えたものである。ここで、前記出射光用導光体は、前記赤外ＬＥＤから入射した赤外光を導光し、前記外周に沿って伸びる二次光源として、前記液晶表示モジュールの表示面の前方の空間を赤外光で照明し、前記反射光用導光体は、前記外周に沿って伸びる受光面を有し、当該受光面で前記液晶表示モジュールの表示面の前方の空間で反射した赤外光の反射光を受光し、受光した反射光を前記赤外フォトダイオードまで導光し、前記赤外フォトダイオードは、反射光用導光体によって導光された赤外光の反射光を検出する。
【０００９】
また、前記課題達成のために、本発明は、映像を表示する液晶表示モジュールを備えた表示装置に、前記液晶表示モジュールの外周の外側に配置した、当該外周に沿って伸びる反射光用導光体と、赤外フォトダイオードとを備えると共に、前記液晶表示モジュールを、画像パターンを形成する液晶パネルと、赤外光光源と、前記液晶パネルの背面に配置された、前記赤外光光源から入射する赤外光を、前記液晶パネルを介して前記液晶表示モジュールの表示面の前方の空間に放射する赤外光導光板とを含めて構成したものである。ここで、前記反射光用導光体は、前記外周に沿って伸びる受光面を備え、当該受光面で前記液晶表示モジュールの表示面の前方の空間で反射した赤外光の反射光を受光し、受光した反射光を前記赤外フォトダイオードまで導光し、前記赤外フォトダイオードは、反射光用導光体によって導光された赤外光の反射光を検出する。
【００１０】
ここで、以上のような出射光用導光体を備えた表示装置においては、当該出射光用導光体を、前記液晶表示モジュールの四角形の外周の１辺または連続する複数の辺に沿って伸びているものとしたり、前記液晶表示モジュールの外周を取り囲むように、当該外周に沿って伸びているものとしてよい。
【００１１】
また、以上のような反射光用導光体を備えた表示装置においては、当該反射光用導光体を、前記液晶表示モジュールの四角形の外周の１辺または連続する複数の辺に沿って伸びているものとしたり、前記液晶表示モジュールの外周を取り囲むように、当該外周に沿って伸びているものとしてよい。
【００１２】
また、以上のような出射光用導光体と反射光用導光体の双方を備えた表示装置においては、前記出射光用導光体を、前記液晶表示モジュールの四角形の外周の１辺である第１の辺に沿って伸びているものとし、前記反射光用導光体を、前記液晶表示モジュールの四角形の外周の前記第１の辺に対向する辺である第２の辺に沿って伸びているものとしてもよい。
【００１３】
以上のような出射光用導光体を備えた表示装置によれば、出射光用導光体を、液晶表示モジュールの外周に沿って伸びる線／棒状の二次光源として用い、当該二次光源によって、液晶表示モジュールの表示面の前方の空間を赤外光で照明する。したがって、単一または少数の赤外ＬＥＤを用いつつ、点光源である赤外ＬＥＤダイオードで直接、表示面の前方の空間を赤外光を照射する場合に比べ、表示面の前方の空間を過不足なく照射することができる。
【００１４】
また、以上のような反射光用導光体を備えた表示装置によれば、反射光用導光体によって、液晶表示モジュールの外周に沿って伸びる線／棒状の受光面を形成し、当該受光面に入射する赤外光の反射光を検出する。したがって、単一もしくは少数の赤外フォトダイオードを用いつつ、受光面が点状である赤外フォトダイオードで直接、赤外光の反射光を検出する場合に比べ、表示面の前方の空間で生じた反射による赤外線の反射光を過不足なく検出することができる。
【００１５】
また、併せて、本発明は、映像を表示する液晶表示モジュールを備えた表示装置であって、前記液晶表示モジュールの表示面の前方の空間を赤外光で照明する赤外光照明部と、前記液晶表示モジュールの四角形の外周の左側の辺の外側に配置した、当該左側の辺に沿って伸びる左側反射光用導光体と、前記液晶表示モジュールの四角形の外周の右側の辺の外側に配置した、当該右側の辺に沿って伸びる左側反射光用導光体と、第１の赤外フォトダイオードと、第２の赤外フォトダイオードとを備えた表示装置も提供する。ここで、前記左側反射光用導光体は、前記左側の辺に沿って伸びる受光面を備え、当該受光面で前記液晶表示モジュールの表示面の前方の空間で反射した赤外光の反射光を受光し、受光した反射光を前記第１の赤外フォトダイオードまで導光し、前記右側反射光用導光体は、前記右側の辺に沿って伸びる受光面を備え、当該受光面で前記液晶表示モジュールの表示面の前方の空間で反射した赤外光の反射光を受光し、受光した反射光を前記第２の赤外フォトダイオードまで導光し、前記第１の赤外フォトダイオードは、左側反射光用導光体によって導光された赤外光の反射光を検出し、前記第２の赤外フォトダイオードは、右側反射光用導光体によって導光された赤外光の反射光を検出する。
【００１６】
このような表示装置によれば、さらに、ユーザが表示装置の左側から接近してきたのか、右側から接近してきたのかについても検知できるようになる。
【発明の効果】
【００１７】
以上のように、本発明によれば、赤外線近接センサを備えた表示装置において、赤外線ＬＥＤやフォトダイオードの所要数を抑えつつユーザの表示装置の表示画面への接近を適正に検出することができる。
【図面の簡単な説明】
【００１８】
【図１】本発明の第１実施形態に係る表示装置の構成を示す図である。
【図２】本発明の第１実施形態に係る表示装置の他の構成例を示す図である。
【図３】本発明の第１実施形態に係る表示装置の他の構成例を示す図である。
【図４】本発明の第２実施形態に係る表示装置の構成を示す図である。
【発明を実施するための形態】
【００１９】
以下、本発明の実施形態について説明する。
まず、第１の実施形態について説明する。
図１ａに本第１実施形態に係る表示装置の外観を、図１ｂに図１ａの面Ａによる表示装置の断面を、図１ｃに図１ａの面Ｂによる表示装置の断面を、図１ｄに前方より見た表示装置の各部の配置を示す。
【００２０】
いま、各図に示すように前後左右上下を定めるものとして、表示装置は、前側に表示面を有する液晶表示モジュール１と、液晶表示モジュール１の前側に配置した上下左右方向のサイズが液晶表示モジュール１より大きい透明なカバーガラス２とを、ケース３に収容した構成を備えている。
【００２１】
また、液晶表示装置は、図１ｂ、図１ｄに示すように、カバーガラス２の後側の液晶表示モジュール１の上方のケース３で覆われていない位置に反射光用導光体４を、カバーガラス２の後側の液晶表示モジュール１の下方のケース３で覆われていない位置に出射光用導光体５を備えている。
【００２２】
ここで、反射光用導光体４は、反射光用導光体４の左右方向の範囲が、液晶表示モジュール１の表示画面の左右方向の範囲と、ほぼ一致するように、液晶表示モジュール１の上の辺に沿って配置されている。また、出射光用導光体５は、出射光用導光体５の左右方向の範囲が、液晶表示モジュール１の表示画面の左右方向の範囲と、ほぼ一致するように液晶表示モジュール１の下の辺に沿って配置されている。
【００２３】
また、表示装置は、図１ｃ、図１ｄに示すように、反射光用導光体４の左端後方に配置された赤外光を検出する赤外フォトダイオード６と、出射光用導光体５の左端後方に配置された赤外光を出射する赤外ＬＥＤ７とを備えている。
【００２４】
ここで、図１ｅ１に上方より見た赤外フォトダイオード６と反射光用導光体４を示し、図１ｅ２に右方より見た赤外フォトダイオード６と反射光用導光体４を示す。図中に矢印で示したように、反射光用導光体４は、前方と前方斜め下方の間の範囲から反射光用導光体４の前面に入射した赤外光を左端まで導いた後に後方に導くことにより、図１ｇに示すように液晶表示モジュール１の表示面の前方の空間から、反射光用導光体４に入射した赤外光を赤外フォトダイオード６に導く。そして、赤外フォトダイオード６は反射光用導光体４から赤外フォトダイオード６に導かれた赤外光を検出する。
【００２５】
次に、図１ｆ１に上方より見た赤外ＬＥＤ７と出射光用導光体５を示し、図１ｆ２に右方より見た赤外ＬＥＤ７と出射光用導光体５を示す。図中に矢印で示したように、出射光用導光体５は、出射光用導光体５の左端後方に配置された赤外ＬＥＤ７から入射した赤外光を右方に導きながら、前方と前方斜め上方の間の範囲に放射することにより、図１ｇに示すように液晶表示モジュール１の表示面の前方の空間を赤外光で照明する。
【００２６】
したがって、本表示装置によれば、表示面の前方の空間にユーザが接近すると、出射光用導光体５から放射されている赤外ＬＥＤ７を光源とする赤外光によってユーザが照射され、ユーザで反射した赤外光が反射光用導光体４に入射し、赤外フォトダイオード６によって検出され、ユーザの接近が検知される。
【００２７】
ここで、以上のように本第１実施形態に係る表示装置では、出射光用導光体５を、左右方向の範囲が表示面の左右方向の範囲とほぼ等しい、左右に伸びる線／棒状の二次光源として用い、当該二次光源によって、表示面の前方の空間に赤外光を照射する。したがって、単一の赤外ＬＥＤ７を用いつつ、点光源である赤外ＬＥＤダイオードで直接、表示面の前方の空間に赤外光を照射する場合に比べ、表示面の前方の空間を過不足なく赤外線で照明することができる。
【００２８】
また、さらに、本第１実施形態に係る表示装置では、反射光用導光体４を、右方向の範囲が表示面の左右方向の範囲とほぼ等しい、左右に伸びる線／棒状の受光部として用い、当該受光部に入射する赤外光の反射光を検出する。したがって、単一の赤外フォトダイオード６を用いつつ、受光部が点状である赤外フォトダイオード６で直接、赤外光の反射光を検出する場合に比べ、表示面の前方の空間で生じた反射による反射光を過不足なく検出することができる。
【００２９】
なお、以上の表示装置において、反射光用導光体４や出射光用導光体５は、ユーザから視認されないように赤外光を透過する黒色の塗装を前面などに施すことが望ましい。
さて、ここで、以上の表示装置における反射光用導光体４や出射光用導光体５としては、導光用のドットパターンを印刷した導光部材、導光板、導光フィルム、マイクロプリズムなどを用いることができる。
【００３０】
また、以上の表示装置における反射光用導光体４しては、端部を赤外光の出射面とするエッジライト方式の導光板や導光フィルムを用いることもできる。
ただし、この場合には、図２ａ１上方より見た赤外フォトダイオード６と反射光用導光体４を示し、図２ａ２に右方より見た赤外フォトダイオード６と反射光用導光体４を示すように、赤外フォトダイオード６は、反射光用導光体４の左側の端部から出射される光が赤外フォトダイオード６に入射するように配置する。
【００３１】
また、以上の表示装置における出射光用導光体５としては、端部を赤外光の入射面とするエッジライト方式の導光板や導光フィルムを用いることもできる。
ただし、この場合には、図２ｂ１に上方より見た赤外ＬＥＤ７と出射光用導光体５を示し、図２ｂ２に右方より見た赤外ＬＥＤ７と出射光用導光体５を示すように、赤外ＬＥＤ７は、出射光用導光体５の左側の端部に赤外光を出射するように配置する。
【００３２】
以上、本発明の第１実施形態について説明した。
さて、以上の第１実施形態における、反射光用導光体４と赤外フォトダイオード６とのセットと、出射光用導光体５と赤外ＬＥＤ７のセットとの配置は、これを交換するようにしてよい。
【００３３】
また、図３ａに示すように、反射光用導光体４と赤外フォトダイオード６とのセットを液晶表示モジュール１の左に、出射光用導光体５と赤外ＬＥＤ７のセットを液晶表示モジュール１の右に配置するようにしてもよい。なお、この場合にも、反射光用導光体４と赤外フォトダイオード６とのセットと、出射光用導光体５と赤外ＬＥＤ７のセットとの配置は、これを交換するようにしてよい。
【００３４】
または、図３ｂに示すように、反射光用導光体４を液晶表示モジュール１の上半分を囲むコの字形状とし、出射光用導光体５を液晶表示モジュール１の下半分を囲むコの字形状とするようにしたり、図３ｃに示すように、反射光用導光体４を液晶表示モジュール１の左半分を囲むコの字形状とし、出射光用導光体５を液晶表示モジュール１の右半分を囲むコの字形状としたりしてもよい。なお、この場合にも、反射光用導光体４と赤外フォトダイオード６とのセットと、出射光用導光体５と赤外ＬＥＤ７のセットとの配置は、これを交換するようにしてよい。
【００３５】
または、図３ｄに示すように、出射光用導光体５を液晶表示モジュール１を取り囲む四角形状とし、反射光用導光体４を出射光用導光体５を取り囲む四角形状としてもよい。なお、この場合にも、反射光用導光体４と赤外フォトダイオード６とのセットと、出射光用導光体５と赤外ＬＥＤ７のセットとの配置は、これを交換するようにしてよい。
【００３６】
または、図３ｅに示すように、反射光用導光体４と赤外フォトダイオード６とのセットを２つ、液晶表示モジュール１の左右にそれぞれ独立して設け、各セットの赤外フォトダイオード６でそれぞれ反射光を検出するようにしてもよい。このようにすることにより、各セットの赤外フォトダイオード６で検出した反射光の強度などから、ユーザが表示装置の左側から接近してきたのか、右側から接近してきたのかについても検知できるようになる。また、この場合には、左側に配置したセットの赤外フォトダイオード６で、液晶表示モジュール１の表示面の左側半分の前方において生じた反射による反射光を検出し、右側に配置したセットの赤外フォトダイオード６で、液晶表示モジュール１の表示面の右側半分の前方において生じた反射による反射光を検出するようにしてもよい。
【００３７】
また、以上の実施形態では、一つの出射光用導光体５に対して一つの赤外ＬＥＤ７を設けたが、これは一つの出射光用導光体５に対して複数の赤外ＬＥＤ７を、当該出射光用導光体５によって各赤外ＬＥＤ７が出射した赤外光が導光されるように設けるようにしてもよい。また、以上の実施形態では、一つの反射光用導光体４に対して一つの赤外フォトダイオード６を設けたが、これは一つの反射光用導光体４に対して複数の赤外フォトダイオード６を、各赤外フォトダイオード６に当該反射光用導光体４から反射光が入射されるように設けてもよい。
【００３８】
以下、本発明の第２の実施形態について説明する。
本第２実施形態は、上述の第１実施形態を、赤外光が面状の二次光源から出射されるように修正したものである。
図４に、本第２実施形態に係る表示装置の構成を示す。
図４ａに本第１実施形態に係る表示装置の外観を、図４ｂに図４ａの面Ａによる表示装置の断面を、図４ｃに図４ａの面Ｂによる表示装置の断面を、図４ｄに前方より見た表示装置の各部の配置を示す。
【００３９】
図示するように、本第２実施形態は、図１に示した第１実施形態に係る表示装置と同様に、液晶表示モジュール１、カバーガラス２、反射光用導光体４、赤外フォトダイオード６を備えており、その配置も第１実施形態に係る表示装置と同様である。
【００４０】
一方、本第２実施形態に係る液晶表示モジュール１は、第１実施形態と異なり、液晶表示モジュール１の表示面の前方の空間に赤外光を照射する構成を備えている。
すなわち、図４ｅ１に図４ａの面Ａによる液晶表示モジュール１の断面を、図４ｅ２に図４ａの面Ｃによる液晶表示モジュール１の断面を示すように、液晶表示モジュール１は画像パターンを形成するＬＣＤパネル１１、ＬＣＤパネル１１の後側に配置されたバックライト用導光板１２、バックライト用導光板に後側に配置された出射光用導光板１３、バックライト用導光板１２のエッジから可視光をバックライト用導光板１２に入射するバックライト用光源ＬＥＤ１４、出射光用導光板１３のエッジから赤外光を出射光用導光板１３に入射する赤外ＬＥＤ１５を備えている。
【００４１】
このような構成において、バックライト用導光板１２はエッジライト方式の導光板であり、バックライト用光源ＬＥＤ１４から入射した可視光をバックライト用導光板１２内で拡散した上で前方に照射することにより、ＬＣＤパネル１１を後方より照明する。
【００４２】
また、出射光用導光板１３もエッジライト方式の導光板であり、赤外ＬＥＤ１５から入射した赤外光を出射光用導光板１３内で拡散した上で前方に照射することにより、液晶表示モジュール１の表示面の前方の空間に赤外光を照射する。なお、出射光用導光板１３に赤外光を出射する赤外ＬＥＤ７は複数設けるようにしてもよい。
【００４３】
なお、一般的に、ＬＣＤパネル１１は、表示状態（液晶セルのオン／オフ状態）に関わらずに赤外光を透過する。また、バックライト用導光板１２も、赤外光を透過するものを用いる。
【００４４】
以上、本発明の第２実施形態について説明した。
このような第２実施形態によっても、単一、または、少数の赤外ＬＥＤ７を用いつつ、表示面の前方の空間を過不足なく照射することができる。
【符号の説明】
【００４５】
１…液晶表示モジュール、２…カバーガラス、３…ケース、４…反射光用導光体、５…出射光用導光体、６…赤外フォトダイオード、７…赤外ＬＥＤ、１１…ＬＣＤパネル、１２…バックライト用導光板、１３…出射光用導光板、１４…バックライト用光源ＬＥＤ、１５…赤外ＬＥＤ。
【図１】
2018180850.tif 000003
【図２】
2018180850.tif 000004
【図３】
2018180850.tif 000005
【図４】
2018180850.tif 000006